(57)【要約】【課題】振動や衝撃で、接触板が被接触板に容易に接触しないカード検出スイッチを備えるカード用コネクタを提供する。【解決手段】コネクタ１０は、ハウジング２と検出スイッチ３を備える。検出スイッチ３は、挿入されるカード１によって変位する接触板３１と接触板３１に接触する被接触板３２で構成される。接触板３１は、可動片３１１、可動片３１２、及び接点３１３を有する。被接触板３２は、固定片３２１と接点３２３を有する。接点３１３は、可動片３１１の板厚方向への変位と可動片３１１の板厚方向と略直交する方向への変位により、接触板３１の接点３１３は、被接触板３２の接点３２３に接触できる。【選択図】図１
2008218042.tif 000002
【特許請求の範囲】
【請求項１】
カードが挿抜されるハウジングと、挿入される前記カードによって変位する接触板、及び変位した前記接触板に接触する被接触板で構成されるカード検出スイッチと、を備えるカード用コネクタであって、
前記接触板は、前記ハウジングに固定される第１固定端と、挿入される前記カードにより板厚方向に弾性変形する第１自由端と、この第１自由端から更に延びて、挿入される前記カードにより前記第１自由端の板厚方向と略直交する方向に弾性変形する第２自由端と、を有し、
前記被接触板は、前記ハウジングに固定される第２固定端と、前記第２自由端に近接配置される接触端と、を有し、
前記第２自由端は、前記第１自由端の板厚方向への第１変位量と前記第１自由端の板厚方向と略直交する方向への第２変位量とが加算されて前記接触端に接触するカード用コネクタ。
【請求項２】
略矩形に形成されたカードが挿抜されるための開口を形成する凹部を有する板状のハウジングと、このハウジングの凹部の片翼に配置され、接触板と被接触板で構成されるカード検出スイッチと、を備えるカード用コネクタであって、
前記接触板は、第１基端部が前記凹部の底壁に固定され、第１先端部が前記第１基端部から前記開口と反対側に延びる第１可動片と、第２基端部が前記第１基端部と前記第１先端部との中間から略直角に屈折され、第２先端部が前記第１先端部を越えて前記開口と反対側に前記第１先端部と対向するように傾斜して延びる第２可動片と、前記第２先端部の一部が突出する第１接点と、を有し、
前記被接触板は、第３基端部が前記凹部の底壁に固定され、第３先端部が前記第１可動片に対して略直交する方向に延びる固定片と、この固定片の第３先端部が屈折されて前記第１接点に近接配置される第２接点と、を有し、
前記第１可動片の第１先端部は、前記カードの先端縁が乗り越え可能な段差部を設け、
前記第１接点は、前記カードの一方の面が前記段差部を付勢して前記第１可動片を変位させる第１変位量と前記カードの一方の隅部が前記第２先端部を付勢して前記第２可動片を変位させる第２変位量とが加算されて前記第２接点に接触するカード用コネクタ。
【請求項３】
前記ハウジングは、両翼を囲う一対の補強タブを備え、
この一対の補強タブは、プリント基板にはんだ接合される接合部を有し、
前記接触板は、前記プリント基板にはんだ接合されるリード片を有し、
前記被接触板は、前記一対の補強タブの一方の補強タブに結合している請求項１又は２記載のカード用コネクタ。
【請求項４】
前記ハウジングは、前記カードに接続する複数のカンチレバーコンタクトを備え、
前記複数のカンチレバーコンタクトの内の一つは、前記接触板を兼用する請求項１から３のいずれかに記載のカード用コネクタ。
【請求項５】
前記カードを装着するスライダを更に備え、
前記スライダは、前記カードを前記ハウジングに挿抜させる請求項１から４のいずれかに記載のカード用コネクタ。
【発明の詳細な説明】
【技術分野】
【０００１】
本発明は、カード用コネクタに関する。特に、本発明は、メモリカードなどのカード状の記録媒体がコネクタに装着されたこと検知するスイッチを備えるカード用コネクタの構造に関する。
【背景技術】
【０００２】
例えば、ＳＤ（Ｓｅｃｕｒｅ  Ｄｉｇｉｔａｌ）カードなどのメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
一般に、このようなカードが装着されるカード用コネクタには、カード検出スイッチとライトプロテクト検出スイッチとが設けられている。カード検出スイッチは、カードが装着されたことを検出する機能を有している。ライトプロテクト検出スイッチは、カードにデータを書き込むことが許されているか否かを検出する機能を有している。
【０００４】
カード用コネクタにおける検出スイッチは、一般に接触板と被接触板とで構成される一対のスイッチ部材を備えている。接触板は、カード用コネクタを構成するハウジングのカード受入部に設けられ、カード受入部に挿入されるカードによって変位する。被接触板は、カード受入部に設けられ、変位した接触板に接触される。
【０００５】
カード検出スイッチとライトプロテクト検出スイッチとを設けるカード用コネクタにおいて、接触板と被接触板とを共通化することにより、コストの低減を可能とする検出スイッチが発明されている（例えば、特許文献１参照）。
【特許文献１】特開２００３−５９５９５号公報
【発明の開示】
【発明が解決しようとする課題】
【０００６】
図１２は、特許文献１の第１実施形態の検出スイッチを構成する二つのスイッチ部材を取り出して表した拡大斜視図である。本願の図１２は、特許文献１の図１に相当している。図１３は、第１実施形態の検出スイッチを構成する二つのスイッチ部材の接点部の拡大側面図である。本願の図１３は、特許文献１の図２に相当している。
【０００７】
図１２において、検出スイッチ８０は、第１スイッチ部材８１ａと第２スイッチ部材８１ｂで構成されている。第１スイッチ部材８１ａと第２スイッチ部材８１ｂとは、ＳＤカードＣの挿入方向と同じ方向に一列に並んでいる。そして、第１スイッチ部材８１ａの前端部と第２スイッチ部材８１ｂの後端部とがオーバーラップするような関係で設置されている。
【０００８】
図１２において、第１スイッチ部材８１ａの前端部は、ＳＤカードＣ側に突出するように弧状に屈曲又は湾曲成形される斜面部８２を設けている。斜面部８２は、ＳＤカードＣの先端コーナー部Ｃ１と対向している。一方、第２スイッチ部材８１ｂの後端部は、ＳＤカードＣの挿入方向Ｄ１に対して斜め下方に向って屈曲又は湾曲成形される斜面部８３を設けている（図９参照）。
【０００９】
図１２又は図１３において、第２スイッチ部材８１ｂの斜面部８３と第１スイッチ部材８１ａの斜面部８２とは、ＳＤカードＣの挿入方向Ｄ１に対して交差するように位置している。そして、斜面部８２の側縁８２ａと斜面部８３の側縁８３ａが間隙を介して対向している。側縁８２ａが第１接点８４を形成し、側縁８３ａが第２接点８５を形成し、これら第１接点８４及び第２接点８５が検出スイッチ８０を構成している。なお、第１スイッチ部材８１ａの斜面部８２に連続する斜面部８６は、第２スイッチ部材８１ｂの斜面部８３に連続する平坦面部８７の下方に進入可能となっている。
【００１０】
図１２において、ＳＤカードＣを矢印Ｄ１の方向に挿入すると、先端コーナー部Ｃ１が斜面部８２に当接し、第１スイッチ部材８１ａの前端部を矢印Ｄ２の方向に外側に変位させる。そして、第１接点８４が第２接点８５と係合する。したがって、検出スイッチ８０はオンの状態となり、ＳＤカードＣの挿入を検出できる。
【００１１】
図１２において、ＳＤカードＣを更に挿入すると、斜面部８２は、矢印Ｄ２の方向の変位が進み、斜面部８３が矢印Ｄ３の方向に変位させる。又、第１接点８４と第２接点８５の係合部が斜面部８３から平坦面部８７に向って移行する。図１３には、変位した斜面部８３を想像線（２点鎖線）で示している。
【００１２】
図１２において、第１スイッチ部材８１ａの後端部は、第２スイッチ部材８１ｂの後端部と同じ形状となっている。又、第２スイッチ部材８１ｂの前端部は、第１スイッチ部材８１ａの前端部と同じ形状となっている。そして、第２スイッチ部材８１ｂの前方に、第１スイッチ部材８１ａの前端部が切除された第３スイッチ部材８１ｃ（図示せず）を一列に配置することにより、第２スイッチ部材８１ｂと第３スイッチ部材８１ｃとの組み合わせをカード検出スイッチとすることができる。又、図１２に示された検出スイッチ８０をライトプロテクト検出スイッチとすることができる。
【００１３】
このように、特許文献１の検出スイッチは、カード用コネクタのハウジングに設けられる少なくとも二つのスイッチ部材を同一の形状として共通化したので、カード用コネクタの製造コストの低減を可能にできる、としている。
【００１４】
特許文献１にも開示されたように、カード用コネクタに備わるカード検出スイッチは、挿入されるカードによって変位する接触板の接点と、変位した接触板に接触される被接触板の接点とが近接配置されている。そして、カードを装着すると、直ちに接触板の先端部が被接触板に接触して、カードの装着状態が検知される。
【００１５】
しかし、このようなカード検出スイッチをもつ電子機器に振動や衝撃が付加されると、カードが装着されていないにも係わらず、接触板の接点が被接触板の接点に振動や衝撃による慣性力で接触することがあり得る。いわゆる、誤検出の問題がある。
【００１６】
振動や衝撃で、接触板が被接触板に容易に接触しないように、接触板の接点を被接触板の接点から十分に離間して配置すると、カード用コネクタの外形が大きくなり好ましくない。又、接触板の撓み量も大きくなり、接触板の寿命に影響を及ぼすことが懸念される。接触板の接点は被接触板の接点に近接して配置されているが、振動や衝撃で、接触板の接点が被接触板の接点に容易に接触しないカード検出スイッチを備えるカード用コネクタが求められる。そして、以上のことが本発明の課題といってよい。
【００１７】
本発明は、このような問題に鑑みてなされたものであり、振動や衝撃で、接触板が被接触板に容易に接触しないカード検出スイッチを備えるカード用コネクタを提供することを目的とする。
【課題を解決するための手段】
【００１８】
本発明者は、接触板と被接触板で構成されるカード検出スイッチを備えるカード用コネクタであって、挿入されるカードにより接点を有する先端部が板厚方向に弾性変形すると共に、挿入されるカードにより板厚方向と略直交する方向に弾性変形するように接触板を構成した。そして、カードがコネクタに装着されていないときは、板厚方向に弾性変形する強い慣性力と、板厚方向と略直交する方向に弾性変形する強い慣性力とが重複したときのみ、被接触板に接触するように、接触板と被接触板を相対配置することにより、振動や衝撃で、接触板が被接触板に容易に接触しないことを見出し、これに基づき、以下のような新たなカード検出スイッチを備えるカード用コネクタを発明するに至った。
【００１９】
（１）  カードが挿抜されるハウジングと、挿入される前記カードによって変位する接触板、及び変位した前記接触板に接触する被接触板で構成されるカード検出スイッチと、を備えるカード用コネクタであって、前記接触板は、前記ハウジングに固定される第１固定端と、挿入される前記カードにより板厚方向に弾性変形する第１自由端と、この第１自由端から更に延びて、挿入される前記カードにより前記第１自由端の板厚方向と略直交する方向に弾性変形する第２自由端と、を有し、前記被接触板は、前記ハウジングに固定される第２固定端と、前記第２自由端に近接配置される接触端と、を有し、前記第２自由端は、前記第１自由端の板厚方向への第１変位量と前記第１自由端の板厚方向と略直交する方向への第２変位量とが加算されて前記接触端に接触するカード用コネクタ。
【００２０】
（１）の発明によるカード用コネクタは、ハウジングとカード検出スイッチを備えている。ハウジングは、カードが挿抜される。カード検出スイッチは、接触板と被接触板で構成されている。接触板は、挿入されるカードによって変位する。被接触板は、変位した接触板に接触する。
【００２１】
又、（１）の発明によるカード用コネクタは、接触板が第１固定端、第１自由端、及び第２自由端を有している。第１固定端は、ハウジングに固定される。第１自由端は、挿入されるカードにより板厚方向に弾性変形する。第２自由端は、第１自由端から更に延びている。そして、第２自由端は、挿入されるカードにより第１自由端の板厚方向と略直交する方向に弾性変形する。
【００２２】
更に、（１）の発明によるカード用コネクタは、被接触板が第２固定端と接触端を有している。第２固定端は、ハウジングに固定される。接触端は、第２自由端に近接配置される。そして、第２自由端は、第１自由端の板厚方向への第１変位量と、第１自由端の板厚方向と略直交する方向への第２変位量が加算されて接触端に接触する。
【００２３】
ここで、カードは、ＳＤカードなどメモリカードを含んでよく、ＩＣカード、ＰＣカード、フレキシブルディスクなど、外形が略矩形の薄板状の記録媒体を含むことができる。接触板が被接触板に接触すると、カード検出スイッチはオンの状態となり、カード用コネクタを備える電子機器は、カードが装着されたと認識する。そして、記録媒体であるカードにデータを書き込みでき、又はカードに記録されたデータを読み取りできる。
【００２４】
ハウジングは絶縁性を有している。絶縁性のハウジングとは、非導電性の材料からなるハウジングのことであってよく、合成樹脂を成形して、所望の形状の絶縁性のハウジングを得ることができる。
【００２５】
接触板及び被接触板は、展開された金属板を折り曲げ加工して成形してよく、所望の形状を得ることができる。接触板及び被接触板は、導電性の金属板が好ましく、例えば、銅合金などが適用されるが、銅合金に限定されない。
【００２６】
接触板は、片持ち梁の板ばねとして機能してよく、荷重が作用する自由端とハウジングに固定される固定端を有している。自由端に作用する荷重は、カードが挿入されることにより、自由端を撓ませる強制荷重を含んでよく、振動や衝撃により自由端を撓ませる慣性力を含んでよい。第１及び第２固定端は、圧入によりそれぞれハウジングに固定してもよく、ハウジングと一体にモールディングすることにより固定してもよい。
【００２７】
例えば、第１自由端は突起又は段差を設けてよく、ハウジングにカードを挿入すると、カードの平面が突起又は段差を押し下げて、第１自由端が板厚方向に弾性変形される。ここで、第２自由端は、第１自由端の撓み角度で延長される第１変位量で撓み得ることができる。
【００２８】
第２自由端は第１自由端に向かって屈折又は屈曲されてよく、ハウジングにカードを更に挿入すると、カードの隅部が第２自由端を押して、第２自由端が第１自由端の板厚方向と略直交する方向に弾性変形される。そして、第２自由端は第２変位量を得ることができる。
【００２９】
（１）の発明によるカード用コネクタは、カードを挿入すると第１自由端を板厚方向に弾性変形させる第１変位と、カードを挿入すると第２自由端を板厚方向に弾性変形させる第２変位を経て、接触板の第２自由端が被接触板の接触端に接触できる。
【００３０】
（１）の発明によるカード用コネクタは、第１自由端を板厚方向に弾性変形させる振動や衝撃による一方向の慣性力が作用しても、接触板の第２自由端が被接触板の接触端に接触できない相対配置となっている。又、第２自由端を板厚方向に弾性変形させる振動や衝撃による一方向の慣性力が作用しても、接触板の第２自由端が被接触板の接触端に接触できない相対配置となっている。第１及び第２自由端を各板厚方向に同時に弾性変形させる強い慣性力が作用したときのみ、接触板の第２自由端が被接触板の接触端に接触できる。
【００３１】
このように、（１）の発明によるカード用コネクタは、振動や衝撃で、接触板が被接触板に容易に接触しないカード検出スイッチを備えている。（１）の発明によるカード用コネクタは、振動や衝撃によるカードの誤検出を防止できる。
【００３２】
（２）  略矩形に形成されたカードが挿抜されるための開口を形成する凹部を有する板状のハウジングと、このハウジングの凹部の片翼に配置され、接触板と被接触板で構成されるカード検出スイッチと、を備えるカード用コネクタであって、前記接触板は、第１基端部が前記凹部の底壁に固定され、第１先端部が前記第１基端部から前記開口と反対側に延びる第１可動片と、第２基端部が前記第１基端部と前記第１先端部との中間から略直角に屈折され、第２先端部が前記第１先端部を越えて前記開口と反対側に前記第１先端部と対向するように傾斜して延びる第２可動片と、前記第２先端部の一部が突出する第１接点と、を有し、前記被接触板は、第３基端部が前記凹部の底壁に固定され、第３先端部が前記第１可動片に対して略直交する方向に延びる固定片と、この固定片の第３先端部が屈折されて前記第１接点に近接配置される第２接点と、を有し、前記第１可動片の第１先端部は、前記カードの先端縁が乗り越え可能な段差部を設け、前記第１接点は、前記カードの一方の面が前記段差部を付勢して前記第１可動片を変位させる第１変位量と前記カードの一方の隅部が前記第２先端部を付勢して前記第２可動片を変位させる第２変位量とが加算されて前記第２接点に接触するカード用コネクタ。
【００３３】
（２）の発明によるカード用コネクタは、板状のハウジングとカード検出スイッチを備えている。ハウジングは、略矩形に形成されたカードが挿抜される開口を形成する凹部を有している。カード検出スイッチは、接触板と被接触板で構成されてハウジングの凹部の片翼に配置されている。
【００３４】
又、（２）の発明によるカード用コネクタは、接触板が第１及び第２可動片と第１接点を有している。第１可動片は、第１基端部が凹部の底壁に固定されている。又、第１可動片は、第１先端部が第１基端部から開口と反対側に延びている。第２可動片は、第２基端部が第１基端部と第１先端部との中間から略直角に屈折されている。又、第２可動片は、第２先端部が第１先端部を越えて開口と反対側に第１先端部と対向するように傾斜して延びている。第１接点は、第２先端部の一部が突出している。
【００３５】
更に、（２）の発明によるカード用コネクタは、被接触板が固定片と第２接点を有している。固定片は、第３基端部が凹部の底壁に固定されている。又、固定片は、第３先端部が第１可動片に対して略直交する方向に延びている。第２接点は、固定片の第３先端部が屈折されて第１接点に近接配置されている。
【００３６】
そして、（２）の発明によるカード用コネクタは、第１可動片の第１先端部は、カードの先端縁が乗り越え可能な段差部を設けている。第１接点は、カードの一方の面が段差部を付勢して第１可動片を変位させる第１変位量と、カードの一方の隅部が第２先端部を付勢して第２可動片を変位させる第２変位量とが加算されて第２接点に接触する。
【００３７】
ここで、ハウジングは、対向する一対の側壁と、一対の側壁と直交してカードの先端縁と対向する対向壁を有してよく、一対の側壁と対向壁で囲われた薄直方体状の空間を「カードが挿抜される凹部」と規定できる。又、薄直方体状の空間をカード保持部とすることもできる。
【００３８】
凹部の片翼には、カードが装着位置に在ることを電気的に検知するカード検出スイッチが配置される。カード検出スイッチは、接触板と被接触板で構成されてよく、カードが装着位置に在るときは、カードに押されて接触板が変位して接触板と被接触板とが電気的に接続状態となる。カードを抜去すると、接触板は復帰して接触板と被接触板は電気的に遮断状態となる。このようにカードの有無が検知される。
【００３９】
第１及び第２先端部は、荷重が作用する自由端であってよく、第１及び第３基端部は固定端であってよく、ハウジングに固定される。
【００４０】
ハウジングにカードを挿入すると、カードの平面が段差を押し下げて、第１先端部が板厚方向に弾性変形される。ここで、第２先端部は、第１先端部の撓み角度で延長される第１変位量で撓み得ることができる。
【００４１】
第２先端部は第１先端部に向かって傾斜されており、ハウジングにカードを更に挿入すると、カードの隅部が第２先端部を押して、第２先端部が第１自由端の板厚方向と略直交する方向に弾性変形される。そして、第１接点は所定の第２変位量を得ることができる。
【００４２】
（２）の発明によるカード用コネクタは、カードを挿入すると第１先端部を板厚方向に弾性変形させる第１変位と、カードを挿入すると第２先端部を板厚方向に弾性変形させる第２変位を経て、接触板の第１接点が被接触板の第２接点に接触できる。又、接触板の第１接点が被接触板の第２接点を摺動できる。いわゆる、セルフクリーニングが可能となっている。
【００４３】
（２）の発明によるカード用コネクタは、第１先端部を板厚方向に弾性変形させる振動や衝撃による一方向の慣性力が作用しても、接触板の第１接点が被接触板の第２接点に接触できない相対配置となっている。又、第２先端部を板厚方向に弾性変形させる振動や衝撃による一方向の慣性力が作用しても、接触板の第１接点が被接触板の第２接点に接触できない相対配置となっている。第１及び第２先端部を各板厚方向に同時に弾性変形させる強い慣性力が作用したときのみ、接触板の第１接点が被接触板の第２接点に接触できる。
【００４４】
このように、（２）の発明によるカード用コネクタは、振動や衝撃で、接触板が被接触板に容易に接触しないカード検出スイッチを備えている。（２）の発明によるカード用コネクタは、振動や衝撃によるカードの誤検出を防止できる。又、セルフクリーニングが可能となっている。
【００４５】
（３）  前記ハウジングは、両翼を囲う一対の補強タブを備え、この一対の補強タブは、プリント基板にはんだ接合される接合部を有し、前記接触板は、前記プリント基板にはんだ接合されるリード片を有し、前記被接触板は、前記一対の補強タブの一方の補強タブに結合している（１）又は（２）記載のカード用コネクタ。
【００４６】
（３）の発明によるカード用コネクタは、プリント基板にはんだ接合により実装されるプリント基板用コネクタを実現している。又、第１及び第２リード片は、プリント基板への接合強度を補強している。
【００４７】
（４）  前記ハウジングは、前記カードに接続する複数のカンチレバーコンタクトを備え、前記複数のカンチレバーコンタクトの内の一つは、前記接触板を兼用する（１）から（３）のいずれかに記載のカード用コネクタ。
【００４８】
（４）の発明によるカード用コネクタは、カンチレバーコンタクトの必要本数を低減でき、製造コストの低減に寄与できる。
【００４９】
（５）  前記カードを装着するスライダを更に備え、前記スライダは、前記カードを前記ハウジングに挿抜させる（１）から（４）のいずれかに記載のカード用コネクタ。
【発明の効果】
【００５０】
本発明によるカード用コネクタは、接触板と被接触板で構成されるカード検出スイッチを備え、カードを挿入すると接触板を板厚方向に弾性変形させる第１変位と、カードを挿入すると接触板を板厚方向に弾性変形させる第２変位を経て、接触板が被接触板に接触できる。このように構成されたカード検出スイッチは、カードが装着されない状態では、振動や衝撃で、接触板が被接触板に容易に接触しない。本発明によるカード用コネクタは、振動や衝撃によるカードの誤検出を防止できる。
【発明を実施するための最良の形態】
【００５１】
以下、図面を参照して本発明を実施するための最良の形態を説明する。
【００５２】
図１は、本発明によるカード用コネクタの一実施形態を示す斜視外観図である。図２は、前記実施形態によるカード用コネクタの斜視外観図であり、図１と異なる方向からカード用コネクタを観ている。図３は、前記実施形態によるカード用コネクタの斜視外観図であり、スライダを用いてカードを装着した状態図である。図４は、前記実施形態によるカード用コネクタの背面図であり、一対の補強タブを分離した状態図である。図５は、前記実施形態によるカード用コネクタの斜視外観図であり、カードが挿入される前の状態図である。
【００５３】
図６は、前記実施形態によるカード用コネクタの縦断面図であり、カードが挿入される前の状態図である。図７は、前記実施形態によるカード用コネクタの縦断面図であり、カードが挿入されて、接触板が下に撓んだ状態図である。図８は、前記実施形態によるカード用コネクタの平面図であり、カードの隅部で押されて接触板が横方向に撓んだ状態図である。
【００５４】
図９は、前記実施形態によるカード用コネクタにカードが挿入される前の状態図であり、図９（Ａ）はカード用コネクタの平面図、図９（Ｂ）は図９（Ａ）の縦断面図である。図１０は、前記実施形態によるカード用コネクタにカードが挿入されて、接触板が下に撓んだ状態図であり、図１０（Ａ）はカード用コネクタの平面図、図１０（Ｂ）は図１０（Ａ）の縦断面図である。図１１は、前記実施形態によるカード用コネクタの平面図であり、カードの隅部で押されて接触板が横方向に撓んだ状態図である。
【００５５】
最初に、本発明によるカード用コネクタ（以下、コネクタと略称する）の構成を説明する。図１から図３において、コネクタ１０は、板状のハウジング２とカード検出スイッチ３（以下、検出スイッチ３と略称する）を備えている。ハウジング２は、略矩形に形成されたカード１が挿抜される開口２２を形成する凹部２１を有している。そして、検出スイッチ３は、接触板３１と被接触板３２で構成されている。又、検出スイッチ３は、ハウジング２の凹部２１の片翼に配置されている。
【００５６】
図１又は図２において、接触板３１は、可動片３１１、可動片３１２、及び接点３１３を有している。可動片３１１は、基端部３１ａが凹部２１の底壁に固定されている。又、可動片３１１は、先端部３１ｂが基端部３１ａから開口２２と反対側に延びている。可動片３１２は、基端部３１ｃが基端部３１ａと先端部３１ｂとの中間から略直角に屈折されている。又、可動片３１２は、先端部３１ｄが先端部３１ｂを越えて開口２２と反対側に先端部３１ｂと対向するように傾斜して延びている。接点３１３は、先端部３１ｄの一部が突出している。
【００５７】
図１において、被接触板３２は、固定片３２１と接点３２３を有している。固定片３２１は、基端部３２ａが凹部２１の底壁に固定されている。又、固定片３２１は、先端部３２ｂが可動片３１１に対して略直交する方向に延びている。接点３２３は、固定片３２１の先端部３２ｂが屈折されて接点３１３に近接配置されている。
【００５８】
図１から図３において、可動片３１１の先端部３１ｂは、カード１の先端縁１ａが乗り越え可能な段差部３１ｅを設けている（図５参照）。
【００５９】
図４において、ハウジング２は、両翼を囲う一対の補強タブ６１・６２を備えている。一対の補強タブ６１・６２は、プリント基板１ｐにはんだ接合される各接合部６１ａ・６２ｂを有している。接触板３１は、プリント基板１ｐにはんだ接合されるリード片３１４を有している。被接触板３２は、一方の補強タブ６１に結合している（図１参照）。
【００６０】
図４において、ハウジング２は、複数のカンチレバーコンタクト（以下、コンタクト４と略称する）を備えている。コンタクト４は、可動片４１１と、カード１の接点（図示せず）に接続する接点４１３を有している。又、コンタクト４は、プリント基板１ｐにはんだ接合されるリード片４１４を有している（図１参照）。
【００６１】
図３において、コネクタ１０は、カード１を装着するスライダ５を備えている。スライダ５は、カード１を装着する凹部（図示せず）を有している。又、ハウジング２の両翼には、スライダ５を移動可能に案内する一対の溝２３ａ・２３ｂが設けられている。スライダ５は、一対の溝２３ａ・２３ｂに規制されてカード１をハウジング２に進退できる。
【００６２】
次に、本発明によるコネクタ１０の構成を捕捉しつつ作用を説明する。
【００６３】
図６において、カード１は、ハウジング２の開口２２から段差部３１ｅの手前まで挿入される。なお、図７から図１０において、カード１を２点鎖線（想像線）で示している。図６において、接触板３１の接点３１３と、被接触板３２の接点３２３とは近接配置されているが、互いに接触困難な相対位置関係となっている。図６に示された状態では、検出スイッチ３は、オフの状態である。
【００６４】
次に、図７に示すように、カード１の先端縁１ａが段差部３１ｅを押し下げると、可動片３１１が撓み変形する。更に、先端部３１ｂがカード１の面より下に押し下げられて、可動片３１１が弾性変形する。なお、この段階では、カード１の先端縁１ａは、先端部３１ｄには接触していない（図１０参照）。ここで、接触板３１は、可動片３１１が下方向へ撓んだことにより先端部３１ｄが下がり、接点３１３が下方向へ変位する。このとき、接点３１３と、接点３２３とは、同じ高さに配置されるが、横方向の隙間があるので互いに接触困難な相対位置関係となっている。したがって、検出スイッチ３は、カード１を検出しないオフ状態である。
【００６５】
次に、図８に示すように、カード１を更に挿入すると、カード１の隅部１ｂが先端部３１ｂを押して、可動片３１２を撓み変形させる。又、先端部３１ｄがカード１の隅部１ｂにより押され、可動片３１２を撓み変形させる。この段階では、可動片３１２の先端部３１ｄが横方向へ変位するので、接点３１３も横方向に変位する。
【００６６】
このように、接点３１３は、カード１の挿入によって、下方向への変位と、横方向への変位を受けて、接点３２３と接触する。そして、接触板３１と被接触板３２とが接触することで、検出スイッチ３は電気的に接続状態となる（図１１参照）。又、カード１を抜去すると、接触板３１が復帰して、接点３１３が接点３２３から離反するので、接触板３１と被接触板３２は電気的に遮断状態となる。このようにカード１の有無が検知される。
【００６７】
本発明によるコネクタ１０は、先端部３１ｂを下方向に変位させる振動や衝撃による一方向の慣性力が作用しても、接点３１３が接点３２３に接触できない。又、先端部３１ｄを横方向に変位させる慣性力が作用しても、接点３１３が接点３２３に接触できない。接点３１３を下方向及び右方向に同時に弾性変形させる強い慣性力が作用したときのみ、接点３２３と接触できる。したがって、本発明によるコネクタ１０は、振動や衝撃によるカードの誤検出を抑制できる。
【００６８】
又、本発明によるコネクタ１０は、接点３２３が傾斜しているので、接点３１３が摺動して接触することになる。いわゆる、セルフクリーニングが可能となっている（図５参照）。
【００６９】
本発明によるコネクタ１０は、複数のコンタクト４の内の一つは、接触板３１を兼用してもよい。こうすることで、コンタクト４の必要本数を低減でき、製造コストの低減に寄与できる。
【図面の簡単な説明】
【００７０】
【図１】本発明によるカード用コネクタの一実施形態を示す斜視外観図である。
【図２】前記実施形態によるカード用コネクタの斜視外観図であり、図１と異なる方向からカード用コネクタを観ている。
【図３】前記実施形態によるカード用コネクタの斜視外観図であり、スライダを用いてカードを装着した状態図である。
【図４】前記実施形態によるカード用コネクタの背面図であり、一対の補強タブを分離した状態図である。
【図５】前記実施形態によるカード用コネクタの斜視外観図であり、カードが挿入される前の状態図である。
【図６】前記実施形態によるカード用コネクタの縦断面図であり、カードが挿入される前の状態図である。
【図７】前記実施形態によるカード用コネクタの縦断面図であり、カードが挿入されて、接触板が下に撓んだ状態図である。
【図８】前記実施形態によるカード用コネクタの平面図であり、カードの隅部で押されて接触板が横方向に撓んだ状態図である。
【図９】前記実施形態によるカード用コネクタにカードが挿入される前の状態図であり、図９（Ａ）はカード用コネクタの平面図、図９（Ｂ）は図９（Ａ）の縦断面図である。
【図１０】前記実施形態によるカード用コネクタにカードが挿入されて、接触板が下に撓んだ状態図であり、図１０（Ａ）はカード用コネクタの平面図、図１０（Ｂ）は図１０（Ａ）の縦断面図である。
【図１１】前記実施形態によるカード用コネクタの平面図であり、カードの隅部で押されて接触板が横方向に撓んだ状態図である。
【図１２】従来技術による検出スイッチを構成する二つのスイッチ部材を取り出して表した拡大斜視図である。
【図１３】従来技術による検出スイッチを構成する二つのスイッチ部材の接点部の拡大側面図である。
【符号の説明】
【００７１】
１  カード
２  ハウジング
３  カード検出スイッチ（検出スイッチ）
１０  コネクタ
２１  凹部
２２  開口
３１  接触板
３２  被接触板
３１１  第１可動片（第１自由端、第１固定端）
３１２  第２可動片（第２自由端）
３１３  第１接点（第２自由端）
３２１  固定片（第２固定端）
３２３  第２接点（接触端）
３１ａ  第１基端部（第１固定端）
３１ｂ  第１先端部（第１自由端）
３１ｃ  第２基端部
３１ｄ  第２先端部（第２自由端）
３１ｅ  段差部
３２ａ  第３基端部（第２固定端）
３２ｂ  第３先端部（接触端）
【図１】
2008218042.tif 000003
【図２】
2008218042.tif 000004
【図３】
2008218042.tif 000005
【図４】
2008218042.tif 000006
【図５】
2008218042.tif 000007
【図６】
2008218042.tif 000008
【図７】
2008218042.tif 000009
【図８】
2008218042.tif 000010
【図９】
2008218042.tif 000011
【図１０】
2008218042.tif 000012
【図１１】
2008218042.tif 000013
【図１２】
2008218042.tif 000014
【図１３】
2008218042.tif 000015